(57)【特許請求の範囲】
【請求項１】
軸方向に溝を設けると共に、この溝の内側に巻棒挿入穴を設けたブランケット胴と、軸方向に溝を有し巻棒挿入穴に挿入する巻棒と、一側面に接着剤が塗布されており、この一側面先端部に補強板を接着し、他の部分に離型紙を接着し、補強板を接着した先端部をブランケット胴の溝から巻棒の溝に挿入し、ブランケット胴の溝の側面に対向する部分の離型紙を残し、他の部分の離型紙を剥離してブランケット胴に巻き付け接着可能にし、他端をブランケット胴の溝の縁で切断するようにしたブランケットとからなり、
上記巻棒の両端部に、この巻棒を、この巻棒の溝に挿入したブランケットの端部をブランケット胴の溝内に巻き込むと共に、巻き込んだ状態で固定する巻込み機構を連結した
ことを特徴とするブランケット胴装置。
【請求項２】
軸方向に溝を設けると共に、この溝の内側に巻棒挿入穴を設けたブランケット胴と、軸方向に溝を有し巻棒挿入穴に挿入する巻棒と、一側面に接着剤が塗布されており、この一側面先端部に補強板を接着し、他の部分に離型紙を貼着し、補強板を接着した先端部をブランケット胴の溝から巻棒の溝に挿入し、ブランケット胴の溝の側面に対向する部分の離型紙を残し、他の部分の離型紙を剥離してブランケット胴に巻き付け接着可能にすると共に、他端をブランケット胴の溝内に挿入するようにしたブランケットとからなり、
上記巻棒の両端部に、この巻棒を、この巻棒の溝に挿入したブランケットの端部をブランケット胴の溝内に巻き込むと共に、巻き込んだ状態で固定する巻込み機構を連結した
ことを特徴とするブランケット胴装置。
【請求項３】
ブランケット胴の溝の両側内壁を、巻棒挿入穴の内周面に連らなる斜面としたことを特徴とする請求項１，２のいずれか１項記載のブランケット胴装置。
【発明の詳細な説明】
【０００１】
【発明の属する技術分野】
本発明は、ブランケット胴にブランケットを巻棒を用いて巻き付けて装着したブランケット胴装置に関するものである。
【０００２】
【従来の技術】
ビジネスフォーム印刷機におけるブランケット胴のブランケットは、非印刷幅をできる限り狭くしなければならないことから、図５に示すように、ブランケット胴ａに巻き付けて接着剤で貼り付けるブランケットｂの両端を突き合せ処理するか、図６に示すように、ブランケット胴ａに設けた溝ｃに、このブランケット胴ａに巻け付けて接着剤にて貼り付けたブランケットｂの両端を折り曲げて挿入して接着剤で固定するようにしている。
【０００３】
しかしながら、図５に示したブランケットｂの両端を突き合せ処理したものにあっては、ブランケット胴ａにブランケットウォッシャｄをかけた場合に、ブランケットｂの回転方向上流側端ｅが不織布等からなるブランケットウォッシャｄで擦られてめくれあがり、この部分から洗浄液が浸入してブランケットｂの全体が剥がれてしまうことが多かった。
【０００４】
また、図６に示したブランケットｂの両端を溝ｃに入れたものにあっても、回転方向上流側部ｆが浮き上がり、この部分から剥がれてしまっていた。
【０００５】
一方、ビジネスフォーム印刷機以外のオフセット輪転印刷機では、特開平７−２８５２１４号公報に示されているように、ブランケットの一端（くわえ側）をブランケット胴に設けた溝の一側部に引っかけ、他端（くわえ尻側）をブランケット胴の上記溝内に設けた巻棒の溝に挿入してから、この巻棒を巻付け方向に回転して固定する、いわゆる巻きブランケット方式のものが知られている。
【０００６】
【発明が解決しようとする課題】
この巻きブランケット方式を用いたブランケット胴装置では、ブランケットウォッシャによるブランケットの端部の剥がれはなくなるが、ブランケットの両端に、帯鋼を設け、このブランケットの両端部をブランケット胴に設けた溝内に挿入することにより、この溝の幅がブランケット２枚分に帯鋼２枚分を加えた厚さ以上の幅を必要とすることにより、この溝の幅が広くなり、必然的に非印刷幅が広くなるという問題があった。
【０００７】
本発明は上記のことに鑑みなされたもので、ブランケットウォッシャにて洗浄したときにブランケットの端部がはげることなく、また非印刷部の幅を狭くしてブランケットを装着でき、また、接着にて貼り付けるブランケットの上記溝への挿入をスムーズに行うことができ、さらにブランケット胴を、正転・逆転のいずれにもブランケットが剥がれることなく用いることができるようにしたブランケット胴装置を提供することを目的とするものである。
【０００８】
【課題を解決するための手段】
上記目的を達成するために、本発明に係るブランケット胴装置は、方向に溝を設けると共に、この溝の内側に巻棒挿入穴を設けたブランケット胴と、軸方向に溝を有し、巻棒挿入穴に挿入する巻棒と、一側面に接着剤が塗布されており、この一側面先端部に補強板を接着し、他の部分に離型紙を接着し、補強板を接着した先端部をブランケット胴の溝から巻棒の溝に挿入し、ブランケット胴の溝の側面に対向する部分の離型紙を残し、他の部分の離型紙を剥離してブランケット胴に巻き付け接着可能にし、他端をブランケット胴の溝の縁で切断するようにしたブランケットとからなり、上記巻棒の両端部に、この巻棒を、この巻棒の溝に挿入したブランケットの端部をブランケット胴の溝内に巻き込むと共に、巻き込んだ状態で固定する巻込み機構を連結した構成になっている。
【０００９】
また、上記構成におけるブランケットの他端をブランケット胴の溝内に挿入するようにしてもよい。
【００１０】
そして、上記各構成において、ブランケット胴の溝の両側内壁を巻棒挿入穴の内周面に連らなる斜面とした。
【００１１】
【作  用】
ブランケットの先端部をブランケットの溝内に挿入する際に、この部分に離型紙が残っていることにより、この先端部が溝の内壁に接着することなくスムーズにブランケット胴の溝から巻棒の溝内へ挿入される。そして、ブランケットの巻き付け先端部はブランケット胴の溝内に挿入された状態で巻棒にて緊張される。
【００１２】
【発明の実施の形態】
本発明の実施の形態を図１から図４に基づいて説明する。
図中１はブランケット胴で、このブランケット胴１の外周に溝２が軸方向に設けてあり、この溝２の内側に巻棒３を挿入する巻棒挿入穴４が軸方向に設けてある。上記溝２の開口両縁の一方で、ブランケット胴１の回転方向下流側縁２ａの内側壁２ａが溝２の開口縁から巻棒挿入穴４の内周面に連らなるように内側へ傾斜されており、また回転方向上流側縁２ｂの内側壁はブランケット胴１の接線に対して略直角になっている。
【００１３】
巻棒３には溝５が軸方向に設けられており、この巻棒３はブランケット胴１の両端に設けた図示しないベアラにて回転自在に支持されている。そしてこの巻棒３の両端部には、図示してないが、この巻棒３を一方へ、あるいは双方へ回動すると共に回動した状態で固定するための巻き込み機構が連結してある。この巻き込み機構には、例えば、特開平７−２８５２１４号公報に示されている、ウォームとウォームホィールとより構成され、または巻棒を回動する回動レバーとラチェット機構とよりなる構成等、公知のものが用いられる。
【００１４】
６はブランケット胴１に貼り付けるブランケットであり、このブランケット６のブランケット胴１へ貼り付ける前は図４に示すようになっていて、これの裏側全面には接着剤が塗布してあり、巻付け方向先端部に鋼板を用いた補強板７が貼り付けてあり、その他の部分には容易に剥離可能な離型紙８が貼り付けてある。
【００１５】
補強板７の幅ｗ１は上記巻棒３の溝５の深さと略同一になっている。また、ブランケット６の巻き方向先端からｗ２の位置の離型紙８に切断切り込み８ａが設けてある。この寸法ｗ２は図１において、巻棒３の溝５の底からブランケット胴１の溝２の縁までの距離と略同じになっている。
【００１６】
上記構成において、ブランケット６をブランケット胴１に巻き付けるには、まず、図１に示すように巻棒３を、これの溝５がブランケット胴１の溝２に向くようにセットする。この状態で離型紙８を貼ったままのブランケット６の先端をブランケット胴１の溝２に回転方向上流側縁２ｂ側から挿入し、補強板７の部分を巻棒３の溝５に挿入する。このとき、ブランケット６の裏面には離型紙８が貼ったままであるので、狭い溝２に挿入される際のブランケット６の接着剤を塗布した裏面がブランケット胴１の溝２の側面に付着することがなく、この部分がスムーズに挿入される。
【００１７】
ついで、ブランケット６の離型紙８を切断切り込み８ａの部分より剥離しながらブランケット胴１をゆっくり回転してブランケット６をブランケット胴１の表面に裏面に塗布した接着剤にてタルミが生じないように貼り付ける。そしてこれの後端を溝２の開口端で切断する。その後図２に示すように、巻棒３をブランケット胴１の回転方向と同一方向に回動してこれを固定する。
【００１８】
上記巻棒３の回動により、ブランケット６の溝２への挿入部が緊張される。
【００１９】
従って、図２において、ブランケット胴１を矢印方向に正転した状態でブランケットウォッシャを接触させたときにおいて、ブランケット胴１の溝２の回転方向上流側縁２ｂ部分におけるブランケット６の剥離が防止される。
【００２０】
なお、上記実施の形態ではブランケット胴１に巻付けたブランケット６の後端を溝２の開口端で切断した例を示したが、図１で鎖線で示したように後端部６ａを溝２内に巻込み、溝２の回転方向下流側の側面に貼り付けるようにしてもよい。
【００２１】
また、上記各実施の形態では、ブランケット胴１の溝２の回転方向上流側縁２ｂの内側壁がブランケット胴１の接線に対して略直角にしたが、図３に示すように、この内側壁も他の内側壁と対称状に、巻棒挿入穴４の内周面に連らなるように内側へ傾斜するようにしてもよい。
【００２２】
この実施の形態によれば、ブランケット８をブランケット胴１の円周方向の両側方向に任意に巻付けることができる。図３は図１に示した場合と逆方向に巻き付けたもので、ブランケット胴１がいずれの方向への回転に対応することができる。この実施の形態によれば、ブランケット胴１が正転・逆転のいずれの方向に回転する場合にも、ブランケットウォッシャによるブランケット洗浄においてのブランケット８の剥離を防止できる。
【００２３】
【発明の効果】
本発明によれば、ブランケット胴に巻き付け接着されるブランケットの巻き付け先端部が巻棒にて溝の内側に緊張されていることにより、ブランケット胴をブランケットウォッシャにて洗浄したときにこのブランケットの巻き付け先端部が剥離するようなことがなくなる。
【００２４】
また、ブランケットの巻き付け先端部にだけ補強板を貼り付け、この部分をブランケット胴の溝に挿入するようにしたので、上記溝の幅を狭くでき、ビジネスフォーム印刷機としての非印刷部の幅を狭くすることができる。なお、ブランケット胴の溝に、ブランケットの後端部をも挿入するようにしたものにあっても、このブランケットの後端部には補強板が接着されてないことにより、この構成においてもブランケット胴の溝の幅を狭くすることができる。
【００２５】
また、上記ブランケットのブランケット胴の溝の側面に対向する部分に離型紙が残っていることにより、このブランケットのブランケット胴への挿入部が上記溝の側面に接着することがなく、この溝への挿入をスムーズに行うことができる。
【００２６】
さらに、ブランケットの巻き付け先端部を挿入するブランケット胴の溝の両側内壁が巻棒挿入穴の内周面に連らなる斜面としたことにより、ブランケットをブランケット胴の円周方向両側から選択的に巻き付けることができ、ブランケット胴を正転・逆転のいずれの場合にも、巻き付け先端部がブランケットウォッシャによる剥離が生じることなく用いることができる。
【図面の簡単な説明】
【図１】本発明の実施の形態を示す断面図で、ブランケットを緊張する前の状態を示す。
【図２】本発明の実施の形態を示す断面図で、ブランケットを緊張した状態を示す。
【図３】本発明の他の実施の形態を示す断面図である。
【図４】ブランケットを示す斜視図である。
【図５】従来の技術を示す断面図である。
【図６】従来の技術を示す断面図である。
【符号の説明】
１…ブランケット胴、２，５…溝、２ａ…回転方向下流側縁、２ｂ…回転方向上流側縁、３…巻棒、４…巻棒挿入穴、６…ブランケット、６ａ…後端部、７…補強板、８…離型紙、８ａ…切断切り込み。
【図１】
0004646451.tif 000002
【図２】
0004646451.tif 000003
【図３】
0004646451.tif 000004
【図４】
0004646451.tif 000005
【図５】
0004646451.tif 000006
【図６】
0004646451.tif 000007